(57)【要約】  発光ダイオードを含む光源回路２１を駆動するための駆動回路２０が、入力信号を、サイクルごとにパルスを含む出力信号に変換するための変換器２２を備える。変換器２２は、入力／出力信号の測定された振幅値と、入力／出力信号の公称振幅値との間の差に応じて、パルスの幅を適応させるためのアダプタ３３を含む。この場合、比較的正確な振幅を有する信号は、もはや必要とされない。前記適応は、測定された振幅値が公称振幅値よりそれぞれ小さい／大きい場合に、幅を増加／減少させることを含んでもよい。公称振幅値で割られた、測定された振幅値は、補正値に等しい。出力信号の調整されたデューティサイクルは、補正値で割られた出力信号の公称デューティサイクルに等しくされてもよい。前記適応は、製造／テストプロセス環境において実行されてもよい。
2014502412.tif 000002
【特許請求の範囲】
【請求項１】
少なくとも１つの発光ダイオードを含む光源回路を駆動するための駆動回路であって、前記駆動回路が、入力信号を、サイクルごとにパルスを含む出力信号に変換するための変換器を含み、前記変換器が、前記入力又は出力信号の測定された振幅値と、前記入力又は出力信号の公称振幅値との間の差に応じて、前記パルスの幅を適応させるためのアダプタを含む駆動回路。
【請求項２】
前記適応が、前記測定された振幅値が前記公称振幅値より小さい場合に、前記パルスの前記幅を増加させることを含み、前記適応が、前記測定された振幅値が前記公称振幅値より大きい場合に、前記パルスの前記幅を減少させることを含む、請求項１に記載の駆動回路。
【請求項３】
前記公称振幅値で割られた前記測定された振幅値が、補正値に等しく、前記出力信号の調整されたデューティサイクルが、前記補正値で割られた前記出力信号の公称デューティサイクルに等しい、請求項２に記載の駆動回路。
【請求項４】
前記駆動回路が、前記光源回路の光出力を前記駆動回路にフィードバックするためのフィードバック回路を含まない、請求項１に記載の駆動回路。
【請求項５】
前記適応が、製造及び／又はテストプロセス環境で実行される、請求項１に記載の駆動回路。
【請求項６】
前記光源回路が、第１の光源回路であり、前記少なくとも１つの発光ダイオードが、少なくとも１つの第１の発光ダイオードであり、前記変換器が、第１の変換器であり、前記入力信号が、第１の入力信号であり、サイクルごとに前記パルスを含む前記出力信号が、第１のサイクルごとに第１のパルスを含む第１の出力信号であり、前記アダプタが、第１のアダプタであり、前記入力又は出力信号の前記測定された振幅値と、前記入力又は出力信号の前記公称振幅値との間の差が、前記第１の入力又は第１の出力信号の第１の測定された振幅値と、前記第１の入力又は第１の出力信号の第１の公称振幅値との間の第１の差であり、前記パルスの前記幅が、前記第１のパルスの第１の幅であり、前記駆動回路が、少なくとも１つの第２の発光ダイオードを含む第２の光源回路を駆動するように構成され、前記駆動回路が、第２の入力信号を、第２のサイクルごとに第２のパルスを含む第２の出力信号に変換するための第２の変換器を含み、前記第２の変換器が、前記第２の入力又は第２の出力信号の第２の測定された振幅値と、前記第２の入力又は第２の出力信号の第２の公称振幅値との間の第２の差に応じて、前記第２のパルスの第２の幅を適応させるための第２のアダプタを含む、請求項１に記載の駆動回路。
【請求項７】
前記第１のアダプタによる前記適応が、前記第１の測定された振幅値が前記第１の公称振幅値より小さい場合に、前記第１のパルスの前記第１の幅を増加させることを含み、前記第１のアダプタによる前記適応が、前記第１の測定された振幅値が前記第１の公称振幅値より大きい場合に、前記第１のパルスの前記第１の幅を減少させることを含み、前記第２のアダプタによる前記適応が、前記第２の測定された振幅値が前記第２の公称振幅値より小さい場合に、前記第２のパルスの前記第２の幅を増加させることを含み、前記第２のアダプタによる前記適応が、前記第２の測定された振幅値が前記第２の公称振幅値より大きい場合に、前記第２のパルスの前記第２の幅を減少させることを含む、請求項６に記載の駆動回路。
【請求項８】
前記第１の公称振幅値で割られた前記第１の測定された振幅値が、第１の補正値に等しく、前記第１の出力信号の第１の調整されたデューティサイクルが、前記第１の補正値で割られた前記第１の出力信号の第１の公称デューティサイクルに等しく、前記第２の公称振幅値で割られた前記第２の測定された振幅値が、第２の補正値に等しく、前記第２の出力信号の第２の調整されたデューティサイクルが、前記第２の補正値で割られた前記第２の出力信号の第２の公称デューティサイクルに等しい、請求項７に記載の駆動回路。
【請求項９】
前記第１及び第２のアダプタによる前記適応が、前記第１及び第２の調整されたデューティサイクルの各１つを、閾値デューティサイクル値と比較することを含み、デューティサイクル比が、前記第２の調整されたデューティサイクルで割られた前記第１の調整されたデューティサイクルに等しく、前記第１及び第２のアダプタによる前記適応が、前記第１及び第２の調整されたデューティサイクルの１つ又は複数が前記閾値デューティサイクル値より大きい場合に、前記デューティサイクル比を一定に保ちながら、前記第１及び第２の調整されたデューティサイクルを低減することを含む、請求項８に記載の駆動回路。
【請求項１０】
前記第１及び第２のアダプタによる前記適応が、前記第１及び第２の光源回路における全電力消費を計算することを含み、デューティサイクル比が、前記第２の調整されたデューティサイクルで割られた前記第１の調整されたデューティサイクルに等しく、前記第１及び第２のアダプタによる前記適応が、前記全電力消費が閾値電力消費値より大きい場合に、前記デューティサイクル比を一定に保ちながら、前記第１及び第２の調整されたデューティサイクルを低減することを含む、請求項８に記載の駆動回路。
【請求項１１】
請求項１に記載の駆動回路を含み、前記光源回路をさらに含む装置。
【請求項１２】
少なくとも１つの発光ダイオードを含む光源回路を駆動するための駆動回路で適応を行う方法であって、前記駆動回路が、入力信号を、サイクルごとにパルスを含む出力信号に変換するための変換器を含み、
前記方法が、前記入力又は出力信号の測定された振幅値と、前記入力又は出力信号の公称振幅値との間の差に応じて、前記パルスの前記幅を適応させる工程を含む、方法。
【請求項１３】
前記適応が、製造及び／又はテストプロセス環境において実行される、請求項１２に記載の方法。
【請求項１４】
コンピュータ上で実行される場合に、請求項１２に記載の方法を実行することを意図されたコンピュータプログラム。
【請求項１５】
請求項１４に記載のコンピュータプログラムを記憶する媒体。
【発明の詳細な説明】
【技術分野】
【０００１】
本発明は、少なくとも１つの発光ダイオードを含む光源回路（light circuit）を駆動
するための駆動回路に関する。
【０００２】
本発明は、さらに、駆動回路を含む装置、駆動回路において適応を行う方法、コンピュータプログラム製品、及び媒体に関する。
【０００３】
このような装置の例は、ランプ及び他の種類の発光ダイオード装置である。
【背景技術】
【０００４】
少なくとも１つの発光ダイオードを含む光源回路を駆動するための駆動回路は、普通の一般知識である。このような駆動回路は、例えば、入力信号を生成するためのソースを含むか、又はこのようなソースに結合される。第１及び第２の駆動回路からの第１及び第２の出力信号間の比較的小さな振幅差が、相互に異なる光出力、即ち、相互に異なるカラーポイントを有する相互に異なる光出力を生成する第１及び第２の光源回路に帰着することがあるという事実ゆえに、入力信号は、比較的正確に生成されなければならない。入力信号を比較的正確に生成するために、比較的精密なコンポーネントが、使用されなければならない。このような比較的精密なコンポーネントは、比較的高価である。
【発明の概要】
【発明が解決しようとする課題】
【０００５】
本発明の目的は、比較的正確に信号を生成するために比較的精密なコンポーネントの使用を必要としない駆動回路を提供することである。
【０００６】
本発明のさらなる目的は、駆動回路を含む装置、駆動回路において適応を行う方法、コンピュータプログラム製品、及び媒体を提供することである。
【課題を解決するための手段】
【０００７】
第１の態様によれば、少なくとも１つの発光ダイオードを含む光源回路を駆動するための駆動回路が設けられ、該駆動回路は、入力信号を、サイクルごとにパルスを含む出力信号に変換するための変換器を含み、該変換器は、入力又は出力信号の測定された振幅値と、入力又は出力信号の公称振幅値（nominal amplitude value）との間の差に応じて、パ
ルスの幅を適応させるためのアダプタを含む。
【０００８】
駆動回路には、入力信号を、サイクルごとにパルスを含む出力信号に変換するための変換器が設けられる。入力信号及び／又は出力信号の振幅値を測定することによって、入力信号及び／又は出力信号の測定された振幅値と、入力信号及び／又は出力信号の公称振幅値との間の差を確定することによって、かつ、当該差に応じて、パルスの幅を適応させるためのアダプタを変換器に設けることによって、入力信号及び／又は出力信号における振幅変動（ずれ、偏位）が補償され得る。このような補償は、一度行う必要があるだけである。その結果、駆動回路で、又はその近くで信号を比較的正確に生成するための比較的精密なコンポーネントを使用することは、もはや必要ではない。
【０００９】
駆動回路は、比較的安価なコンポーネントの使用に起因する、入力信号及び／又は出力信号における変動（ずれ、偏位）と同様に、他の種類の事実に起因する、入力信号及び／又は出力信号における変動（ずれ、偏位）が補償され得るという点で、さらに有利である。
【００１０】
光源回路は、１つの発光ダイオードを含んでもよく、又は直列及び／若しくは並列の組み合わせにおけるいくつかの発光ダイオードを含んでもよい。入力信号は、電流信号であっても電圧信号であってもよい。出力信号は、電流信号又は電圧信号であってもよい。入力信号が電圧信号である場合、変換器は、それを電流信号に変換してもよく、又は変換器は、それを電圧信号に変換してもよく、その場合、変換器には、電圧−電流変換を行うためのさらなる変換器が続いてもよい。出力信号が電圧信号である場合に、変換器には、電圧−電流変換を行うためのさらなる変換器が続いてもよい。発光ダイオードが、通常、電流信号を供給されるという事実ゆえに、入力信号及び出力信号は、電流信号であるのが好ましい。このようにして、変換器が電圧−電流変換を行う必要があることが回避され、さらなる変換器が必要とされることが回避される。公称振幅値は、例えば所望の振幅値である。
【００１１】
駆動回路の実施形態は、前記適応が、測定された振幅値が公称振幅値より小さい場合に、パルスの幅を増加させることを含むこと、及び前記適応が、測定された振幅値が公称振幅値より大きい場合に、パルスの幅を減少させることを含むことによって定義される。出力信号ごとの電力量を比較的一定に保つために、より小さな信号は、より長い持続時間を有するパルスに帰着すべきであり、より大きな信号は、より短い持続時間を有するパルスに帰着すべきである。
【００１２】
駆動回路の実施形態は、公称振幅値で割られた測定された振幅値が、補正値に等しいこと、及び出力信号の調整されたデューティサイクルが、該補正値で割られた出力信号の公称デューティサイクルに等しいこと、によって定義される。出力信号ごとの電力量を比較的一定に保つために、より小さな振幅は、より大きなデューティサイクルに帰着すべきであり、より大きな振幅は、より小さなデューティサイクルに帰着すべきである。補正値は、分数であり、入力信号及び／又は出力信号の測定された振幅値と、入力信号及び／又は出力信号の公称値との間の非ゼロ差は、値「１」とは異なる分数に帰着する。
【００１３】
駆動回路の実施形態は、駆動回路が、光源回路の光出力を駆動回路にフィードバックするためのフィードバック回路を含まないことによって定義される。光源回路の光出力を駆動回路にフィードバックするためのフィードバック回路の存在は、アダプタを不必要にし、駆動回路をより高価にすることになるであろう。
【００１４】
駆動回路の実施形態は、前記適応が、製造及び／又はテストプロセス環境で実施されることによって定義される。このような製造及び／又はテストプロセス環境においては、あるテスト及びある測定が行われる必要があり、ここで上記の測定及び適応は、容易に実行され得る。
【００１５】
駆動回路の実施形態は、光源回路が、第１の光源回路であることと、少なくとも１つの発光ダイオードが、少なくとも１つの第１の発光ダイオードであることと、変換器が、第１の変換器であることと、入力信号が、第１の入力信号であることと、サイクルごとにパルスを含む出力信号が、第１のサイクルごとに第１のパルスを含む第１の出力信号であることと、アダプタが第１のアダプタであることと、入力または出力信号の測定された振幅値と、入力または出力信号の公称振幅値との間の差が、第１の入力または第１の出力信号の第１の測定された振幅値と、第１の入力または第１の出力信号の第１の公称振幅値との間の第１の差であることと、パルスの幅が、第１のパルスの第１の幅であることと、によって定義され、該駆動回路は、少なくとも１つの第２の発光ダイオードを含む第２の光源回路を駆動するように構成され、該駆動回路は、第２の入力信号を、第２のサイクルごとに第２のパルスを含む第２の出力信号に変換するための第２の変換器を含み、該第２の変換器は、第２の入力又は第２の出力信号の第２の測定された振幅値と第２の入力又は第２の出力信号の第２の公称振幅値との間の第２の差に応じて、第２のパルスの第２の幅を適応させるための第２のアダプタを含む。
【００１６】
例として、例えば異なる色の第１及び第２の発光ダイオードを含む第１及び第２の光源回路を駆動する場合に、カラーポイントのシフトを回避することが重要である。なぜなら、２つの個別光源回路における２つの個別のシフトされたカラーポイントは、２つの光源回路のグループにおける１つの全体的な、さらに一層シフトされたカラーポイントに帰着することがあるからである。より多くの光源回路及びより多くの変換器も、排除されるべきではない。
【００１７】
駆動回路の実施形態は、第１の測定された振幅値が第１の公称振幅値より小さい場合に、第１のパルスの第１の幅を増加させることを含むことと、第１のアダプタによる前記適応が、第１の測定された振幅値が第１の公称振幅値より大きい場合に、第１のパルスの第１の幅を減少させることを含むことと、第２のアダプタによる前記適応が、第２の測定された振幅値が第２の公称振幅値より小さい場合に、第２のパルスの第２の幅を増加させることを含むことと、第２のアダプタによる前記適応が、第２の測定された振幅値が第２の公称振幅値より大きい場合に、第２のパルスの第２の幅を減少させることを含む、第１のアダプタによる前記適応によって定義される。
【００１８】
駆動回路の実施形態は、第１の公称振幅値で割られた第１の測定された振幅値が、第１の補正値に等しいことと、第１の出力信号の第１の調整されたデューティサイクルが、第１の補正値で割られた第１の出力信号の第１の公称デューティサイクルに等しいことと、第２の公称振幅値で割られた第２の測定された振幅値が、第２の補正値に等しいことと、第２の出力信号の第２の調整されたデューティサイクルが、第２の補正値で割られた第２の出力信号の第２の公称デューティサイクルに等しいことと、によって定義される。
【００１９】
駆動回路の実施形態は、第１及び第２のアダプタによる前記適応が、第１及び第２の調整されたデューティサイクルの各１つを、閾値デューティサイクル値と比較することを含むことと、デューティサイクル比が、第２の調整されたデューティサイクルで割られた第１の調整されたデューティサイクルに等しいことと、第１及び第２のアダプタによる前記適応が、第１及び第２の調整されたデューティサイクルの１つ又は複数が閾値デューティサイクル値より大きい場合に、デューティサイクル比を一定に保ちながら、第１及び第２の調整されたデューティサイクルを低減することを含むことと、によって定義される。閾値デューティサイクル値は、例えば１００％である。１００％より大きいデューティサイクルは、可能ではないはずである。用途の種類に依存して、他の閾値デューティサイクルが可能であり得る。
【００２０】
駆動回路の実施形態は、第１及び第２のアダプタによる前記適応が、第１及び第２の光源回路における全電力消費を計算することを含むことと、デューティサイクル比が、第２の調整されたデューティサイクルで割られた第１の調整されたデューティサイクルに等しいことと、第１及び第２のアダプタによる前記適応が、全電力消費が閾値電力消費値より大きい場合に、デューティサイクル比を一定に保ちながら、第１及び第２の調整されたデューティサイクルを低減することを含むことと、によって定義される。閾値電力消費値は、例えば２６ワットであり、特定の用途においてより多くの電力消費が可能となるべきではない。用途の種類に依存して、他の閾値電力消費値が可能であってもよい。
【００２１】
第２の態様によれば、駆動回路を含み、光源回路をさらに含む装置が提供される。
【００２２】
第３の態様によれば、少なくとも１つの発光ダイオードを含む光源回路を駆動するための駆動回路で適応を行う方法であって、該駆動回路が、入力信号を、サイクルごとにパルスを含む出力信号に変換するための変換器を含み、該方法は、入力又は出力信号の測定された振幅値と、入力又は出力信号の公称振幅値との間の差に応じて、パルスの幅を適応させるステップを含む方法が提供される。
【００２３】
方法の実施形態は、製造及び／又はテストプロセス環境で実施される前記適応によって定義される。
【００２４】
第４の態様によれば、コンピュータ上で実行される場合に、その方法を実行することを意図されたコンピュータプログラム製品が提供される。
【００２５】
第５の態様によれば、コンピュータプログラム製品を記憶し含むための媒体が提供される。
【００２６】
コンピュータプログラム製品は、少なくとも１つの発光ダイオードを含む光源回路を駆動するための駆動回路において実行されてもよく、媒体は、その駆動回路の一部を形成してもよく、駆動回路は、入力信号を、サイクルごとにパルスを含む出力信号に変換するための変換器を含む。コンピュータプログラム製品及び媒体は、変換器の内部、又はその外部に配置されてもよい。媒体は、さらに、パルスの幅、測定された振幅値及び公称振幅値、補正値、調整されたデューティサイクル及び公称デューティサイクル、閾値デューティサイクル値、デューティサイクル比、計算された全電力消費、並びに／又は閾値電力消費値を記憶するために用いられてもよい。
【００２７】
得られる洞察は、発光ダイオードを含む光源回路を駆動するための駆動回路における信号の振幅変動が、光源回路の光出力におけるカラーポイントのシフトに帰着してもよいということである。
【００２８】
基本概念は、入力信号を、サイクルごとにパルスを含む出力信号に変換するための変換器には、入力又は出力信号の測定された振幅値と、入力又は出力信号の公称振幅値との間の差に応じて、パルスの幅を適応させるためのアダプタを設けられてもよいということであり得る。
【００２９】
比較的正確に信号を生成するための比較的精密なコンポーネントの使用を必要としない駆動回路を提供するという課題が解決される。
【００３０】
さらなる利点は、比較的安価なコンポーネントの使用に起因する変動と同様に、他の種類の事実に起因する変動も補償され得るということであり得る。
【００３１】
本発明のこれらの態様又は他の態様は、以下で説明される実施形態から明白になり、かつこれらの実施形態に関連して解明されよう。
【図面の簡単な説明】
【００３２】
【図１】赤色Ｉ（２７００Ｋ）、紫色ＩＩ（３０００Ｋ）、青色ＩＩＩ（４０００Ｋ）及び黄緑色ＩＶ（６５００Ｋ）用の等色標準偏差（ＳＤＣＭ、縦軸）対百分率のフラックス低下（％、水平軸）を示す。
【図２】第１の変換器を含む、第１の光源回路を駆動するための駆動回路を示す。
【図３】第１及び第２の変換器を含む、第１及び第２の光源回路を駆動するための駆動回路を示す。
【発明を実施するための形態】
【００３３】
図１には、赤色Ｉ（２７００Ｋ）、紫色ＩＩ（３０００Ｋ）、青色ＩＩＩ（４０００Ｋ）及び黄緑色ＩＶ（６５００Ｋ）用の等色標準偏差（ＳＤＣＭ：standard deviation color matching、縦軸）対百分率のフラックス低下（％、水平軸）が示されている。人間の
目には３ＳＤＣＭを超える色誤差が見え、不快と思われることがある。
【００３４】
図２には、少なくとも１つの第１の発光ダイオードを含む第１の光源回路２１を駆動するための駆動回路２０が示されている。駆動回路２０は、第１の入力信号を、第１のサイクルごとに第１のパルスを含む第１の出力信号に変換するための第１の変換器２２を含む。第１の入力信号は、第１の変換器２２の１つ又は複数の第１の入力端子を介して到達し、例えば、駆動回路２０の一部を形成してもしなくてもよく、装置１００の一部を形成してもしなくてもよい、第１のソース２５に端を発する。第１の出力信号は、第１の変換器２２の１つ又は複数の第１の出力端子を介して出発し、そして第１の光源回路２１に供給される。第１の変換器２２は、第１の入力信号及び／又は第１の出力信号における第１の測定された振幅値と、第１の入力信号及び／又は第１の出力信号における第１の公称振幅値との間の差に応じて、第１のパルスの第１の幅を適応させるための第１のアダプタ２３を含む。
【００３５】
さらに、第１の変換器２２は、例えば、第１の変換器２２の第１の入力端子及び第１の出力端子に結合された第１のスイッチング回路２４をさらに含む。第１のスイッチング回路２４の第１の制御入力部は、第１の変換器２２の第１の制御端子に場合により結合される第１の制御入力部を有する第１のアダプタ２３の第１の制御出力部に結合される。
【００３６】
第１のアダプタ２３による前記適応は、好ましくは、第１の測定された振幅値が第１の公称振幅値より小さい場合に、第１のパルスの第１の幅を増加させることを含み、また、好ましくは、第１の測定された振幅値が第１の公称振幅値より大きい場合に、第１のパルスの第１の幅を減少させることを含む。さらに、好ましくは、第１の公称振幅値で割られた第１の測定された振幅値は、第１の補正値に等しいように定義され、第１の出力信号の第１の調整されたデューティサイクルは、第１の補正値で割られた第１の出力信号における第１の公称デューティサイクルに等しくされる。第１のアダプタ２３による前記適応は、好ましくは、製造及び／又はテストプロセス環境において実行される。
【００３７】
図３には、少なくとも１つの第１（第２）の発光ダイオードを含む第１（第２）の光源回路２１（３１）を駆動するための駆動回路２０が示されている。駆動回路２０は、第１（第２）の入力信号を、第１（第２）のサイクルごとに第１（第２）のパルスを含む第１（第２）の出力信号に変換するための第１（第２）の変換器２２（３２）を含む。第１（第２）の入力信号は、第１（第２）の変換器２２（３２）における第１（第２）の入力端子の１つ又は複数を介して到達し、例えば駆動回路２０の一部を形成してもしなくてもよく、装置１００の一部を形成してもしなくてもよい第１（第２）のソース２５（３５）に端を発する。第１（第２）の出力信号は、第１（第２）の変換器２２（３２）における第１（第２）の出力端子の１つ又は複数を介して出発し、そして第１（第２）の光源回路２１（３１）に供給される。第１（第２）の変換器２２（３２）は、第１（第２）の入力信号及び／又は第１（第２）の出力信号における第１（第２）の測定された振幅値と、第１（第２）の入力信号及び／又は第１（第２）の出力信号における第１（第２）の公称振幅値との間の差に応じて、第１（第２）のパルスの第１（第２）の幅を適応させるための第１（第２）のアダプタ２３（３３）を含む。
【００３８】
さらに、例えば、第１（第２）の変換器２２（３２）は、第１（第２）の変換器２２（３２）の第１（第２）の入力端子及び第１（第２）の出力端子に結合された第１（第２）のスイッチング回路２４（３４）をさらに含む。第１（第２）のスイッチング回路２４（３４）の第１（第２）の制御入力部は、第１（第２）の変換器２２（３２）の第１（第２）の制御端子に場合により結合される第１（第２）の制御入力部を有する第１（第２）のアダプタ２３（３３）の第１（第２）の制御出力部に結合される。
【００３９】
第１のアダプタ２３による前記適応は、好ましくは、第１の測定された振幅値が第１の公称振幅値より小さい場合に、第１のパルスの第１の幅を増加させることを含み、また、好ましくは、第１の測定された振幅値が第１の公称振幅値より大きい場合に、第１のパルスの第１の幅を減少させることを含む。第２のアダプタ３３による前記適応は、好ましくは、第２の測定された振幅値が第２の公称振幅値より小さい場合に、第２のパルスの第２の幅を増加させることを含み、また、好ましくは、第２の測定された振幅値が第２の公称振幅値より大きい場合に、第２のパルスの第２の幅を減少させることを含む。さらに、好ましくは、第１の公称振幅値で割られた第１の測定された振幅値は、第１の補正値に等しいように定義され、第１の出力信号の第１の調整されたデューティサイクルは、第１の補正値で割られた第１の出力信号における第１の公称デューティサイクルに等しくされる。さらに、好ましくは、第２の公称振幅値で割られた第２の測定された振幅値は、第２の補正値に等しいように定義され、第２の出力信号の第２の調整されたデューティサイクルは、第２の補正値で割られた第２の出力信号における第２の公称デューティサイクルに等しくされる。
【００４０】
可能な実施形態によれば、第１及び第２のアダプタ２３及び３３による前記適応は、第１及び第２の調整されたデューティサイクルの各１つを、閾値デューティサイクル値と比較することを含んでもよく、デューティサイクル比は、第２の調整されたデューティサイクルで割られた第１の調整されたデューティサイクルに等しいように定義される。次に、第１及び第２のアダプタ２３及び３３による前記適応は、第１及び第２の調整されたデューティサイクルの１つ又は複数が閾値デューティサイクル値より大きい場合に、デューティサイクル比を一定に保ちながら、第１及び第２の調整されたデューティサイクルを低減することを含んでもよい。
【００４１】
可能な実施形態によれば、第１及び第２のアダプタ２３及び３３による前記適応は、第１及び第２の光源回路２１及び３１の全電力消費を計算することを含んでもよく、デューティサイクル比は、第２の調整されたデューティサイクルで割られた第１の調整されたデューティサイクルに等しいと定義される。次に、第１及び第２のアダプタ２３及び３３による前記適応は、全電力消費が閾値電力消費値より大きい場合に、デューティサイクル比を一定に保ちながら、第１及び第２の調整されたデューティサイクルを低減することを含んでもよい。
【００４２】
第１（第２）のスイッチング回路２４（３４）は、例えば、ハーフブリッジ若しくはフルブリッジ又は別の種類のスイッチング回路を含む。第１（第２）のアダプタ２３（３３）は、例えば、コントローラ又は一種のプロセッサを含む。代替として、第１（第２）のアダプタ２３（３３）は、コントローラ又は一種のプロセッサの一部を形成する。さらに、代替として、第１（第２）のアダプタ２３（３３）は、第１（第２）のスイッチング回路２４（３４）の一部を形成してもよく、その逆も同様である。さらなるユニットが存在してもよい。
【００４３】
第１（第２）の光源回路２１（３１）は、１つの発光ダイオードを含んでもよく、又は直列及び／もしくは並列の組み合わせにおけるいくつかの発光ダイオードを含んでもよい。第１（第２）のソース２５（３５）は、例えば、第１（第２）の変換器２２（３２）用に、整流された及び場合により平滑化された第１（第２）の入力信号を生成する交流−直流変換器又はＡＣ／ＤＣ変換器であってもよい。別の種類の変換器又はバッテリなど、別の種類の第１（第２）のソース２５（３５）が排除されるべきではない。第１（第２）のソース２５（３５）と第１（第２）の変換器２２（３２）との間に、フィルタ又は平滑化ユニットなどのさらなるユニットが存在してもよい。第１（第２）の変換器２２（３２）に供給されるような第１（第２）の入力信号は、電流信号又は電圧信号であってもよい。第１（第２）の変換器２２（３２）によって生成されるような第１（第２）の出力信号は、電流信号であっても電圧信号であってもよい。発光ダイオードは通常は電流信号を供給されるという事実ゆえに、第１（第２）の入力信号及び第１（第２）の出力信号は、電流信号であるのが好ましい。このようにして、第１（第２）の変換器２２（３２）が、電圧−電流変換を行う必要があること、及び／又は電圧−電流変換を行うために、第１（第２）の変換器２２（３２）の後ろに追加変換器が必要とされることが回避される。
【００４４】
第１及び第２のアダプタ２３及び３３は、完全に別個のアダプタであってもよく、又は共通部分を有するアダプタであってもよく、又はいくつかの出力部を有する一ユニットに組み合わされるか／統合されてもよい。第１及び第２のスイッチング回路２４及び３４は、完全に別個のスイッチング回路であってもよく、又は共通部分を有するスイッチング回路であってもよい。第１及び第２のソース２５及び３５は、完全に別個のソースであってもよく、又は共通部分を有するソースであってもよく、又はいくつかの出力部を有する一ユニットに組み合わされるか／統合されてもよい。例えば赤色光、緑色光、青色光、及び白色光を生成する４つの光源回路を駆動するための駆動回路２０における４つの変換器など、３つ以上の変換器が排除されるべきではない。
【００４５】
入力信号の測定された振幅値及び公称振幅値は、任意の種類の平均振幅値であっても任意の種類の瞬間（instantaneous）振幅値であってもよい。出力信号の測定された振幅値
及び公称振幅値は、出力信号のパルスにおける任意の種類の平均振幅値であっても任意の種類の瞬間振幅値であってもよい。
【００４６】
要約すると、発光ダイオードを含む光源回路２１を駆動するための駆動回路２０は、入力信号を、サイクルごとにパルスを含む出力信号に変換するための変換器２２を設けられる。変換器２２は、入力／出力信号の測定された振幅値と、入力／出力信号の公称振幅値との間の差に応じて、パルスの幅を適応させるためのアダプタ３３を含む。その場合には、比較的正確な振幅を有する信号は、もはや必要とされない。前記適応は、測定された振幅値が、公称振幅値よりそれぞれ小さい／大きい場合に、幅を増加／減少させることを含んでもよい。公称振幅値で割られた測定された振幅値は、補正値に等しい。出力信号の調整されたデューティサイクルは、補正値で割られた出力信号の公称デューティサイクルに等しくされ得る。前記適応は、製造／テストプロセス環境において実行されてもよい。
【００４７】
本発明は、図面及び前述の説明において図示され詳細に説明されたが、かかる図示及び説明は、実例即ち例示であり、限定ではないと考えられねばならない。本発明は、開示された実施形態に限定されない。開示された実施形態に対する他の変形形態が、図面、本開示、及び添付の特許請求の範囲の検討により、特許請求される本発明を実施する際に当業者によって理解され達成され得る。特許請求の範囲において、用語「含む（ｃｏｍｐｒｉｓｉｎｇ）」は、他の要素又は工程を排除せず、不定冠詞「ａ」又は「ａｎ」は、複数を排除しない。ある方策が、単に、相互に異なる従属クレームにおいて挙げられているという事実は、これらの方策の組み合わせが、有利に使用され得ないことを意味しない。特許請求の範囲におけるいずれの参照符号も、その範囲を限定するものとして解釈されてはならない。
【図１】
2014502412.tif 000003
【図２】
2014502412.tif 000004
【図３】
2014502412.tif 000005
【国際調査報告】
2014502412.tif 000006
2014502412.tif 000007